【手続補正書】
【提出日】平成18年5月19日(2006.5.19)
【手続補正１】
【補正対象書類名】明細書
【補正対象項目名】発明の名称
【補正方法】変更
【補正の内容】
【発明の名称】情報処理システム、情報処理装置、およびプログラム
【手続補正２】
【補正対象書類名】明細書
【補正対象項目名】特許請求の範囲
【補正方法】変更
【補正の内容】
【特許請求の範囲】
【請求項１】  ユーザを識別するユーザ識別情報を保持するオブジェクトと、
所定の処理を実行する第１の情報処理装置と、
前記第１の情報処理装置に対応して設けられ、前記オブジェクトが保持する前記ユーザ識別情報を読み取る読み取り装置と、
前記読み取り装置により読み取られた前記ユーザ識別情報を、ネットワークを介して前記第１の情報処理装置から受信して認証し、その認証結果を前記ネットワークを介して前記第１の情報処理装置に送信する第２の情報処理装置と
からなる情報処理システムであって、
前記読み取り装置により読み取られた前記ユーザ識別情報と、前記第２の情報処理装置による前記ユーザ識別情報の認証結果に基づいて、前記オブジェクトに対応する画像を前記第１の情報処理装置の表示部に表示させる
ことを特徴とする情報処理システム。
【請求項２】  ネットワークを介して他の情報処理装置と接続される情報処理装置において、
ユーザを識別するユーザ識別情報を管理する管理手段と、
前記他の情報処理装置に対応する読み取り装置により読み取られ、前記他の情報処理装置により送信されてくる前記ユーザ識別情報を受信する受信手段と、
前記受信手段により受信された前記ユーザ識別情報を、前記管理手段により管理されている前記ユーザ識別情報に基づいて認証する認証手段と、
前記認証手段による認証の結果に基づいて、前記他の情報処理装置が、前記読み取り装置により読み取られた前記ユーザ識別情報に対応する画像を表示するのに必要な表示情報を、前記ネットワークを介して送信する送信手段と
を備えることを特徴とする情報処理装置。
【請求項３】  ネットワークを介して他の情報処理装置と接続される情報処理装置を制御するコンピュータに、
ユーザを識別するユーザ識別情報を管理する管理ステップと、
前記他の情報処理装置に対応する読み取り装置により読み取られ、前記他の情報処理装置により送信されてくる前記ユーザ識別情報を受信する受信ステップと、
前記受信ステップの処理により受信された前記ユーザ識別情報を、前記管理ステップの処理により管理されている前記ユーザ識別情報に基づいて認証する認証ステップと、
前記認証ステップの処理による認証の結果に基づいて、前記他の情報処理装置が、前記読み取り装置により読み取られた前記ユーザ識別情報に対応する画像を表示するのに必要な表示情報を、前記ネットワークを介して送信する送信ステップと
を実行させることを特徴とするプログラム。
【請求項４】  ネットワークを介して他の情報処理装置と接続される情報処理装置において、
ユーザを識別するユーザ識別情報を取得する取得手段と、
前記取得手段により取得された前記ユーザ識別情報を前記ネットワークを介して前記他の情報処理装置に送信する送信手段と、
前記送信手段により送信された前記ユーザ識別情報に基づいて、前記他の情報処理装置により認証された結果を受信する受信手段と、
前記受信手段により受信された認証の結果に基づいて、前記取得手段により取得された前記ユーザ識別情報に対応する画像が表示されるように表示を制御する制御手段と
を備えることを特徴とする情報処理装置。
【請求項５】  ネットワークを介して他の情報処理装置と接続される情報処理装置を制御するコンピュータに、
ユーザを識別するユーザ識別情報を取得する取得ステップと、
前記取得ステップの処理により取得された前記ユーザ識別情報を前記ネットワークを介して前記他の情報処理装置に送信する送信ステップと、
前記送信ステップの処理により送信された前記ユーザ識別情報に基づいて、前記他の情報処理装置により認証された結果を受信する受信ステップと、
前記受信ステップの処理により受信された認証の結果に基づいて、前記読み取りステップの処理により読み取られた前記ユーザ識別情報に対応する画像が表示されるように表示を制御する制御ステップと
を実行させることを特徴とするプログラム。
【請求項６】  第１の他の情報処理装置がネットワークを介して提供するコンテンツの第２の他の情報処理装置による使用を管理する情報処理装置において、
前記第２の他の情報処理装置が、オブジェクトから読み出して前記ネットワークを介して送信してくる、前記オブジェクトに記憶されている前記オブジェクトを識別するオブジェクト識別情報を受信する受信手段と、
前記受信手段により受信された前記オブジェクト識別情報に対応する、前記コンテンツを識別するコンテンツ識別情報を、前記ネットワークを介して前記第１の情報処理装置に送信する送信手段と、
前記第２の他の情報処理装置のユーザに対する課金処理を行う課金手段と
を備えることを特徴とする情報処理装置。
【請求項７】  第１の他の情報処理装置がネットワークを介して提供するコンテンツの第２の他の情報処理装置による使用を管理する情報処理装置を制御するコンピュータに、
前記第２の他の情報処理装置が、オブジェクトから読み出して前記ネットワークを介して送信してくる、前記オブジェクトに記憶されている前記オブジェクトを識別するオブジェクト識別情報を受信する受信ステップと、
前記受信ステップの処理により受信された前記オブジェクト識別情報に対応する、前記コンテンツを識別するコンテンツ識別情報を、前記ネットワークを介して前記第１の情報処理装置に送信する送信ステップと、
前記第２の他の情報処理装置のユーザに対する課金処理を行う課金ステップと
を実行させることを特徴とするプログラム。
【請求項８】  ネットワークを介して他の情報処理装置にコンテンツを提供する情報処理装置であって、
前記他の情報処理装置が、オブジェクトから読み出して前記ネットワークを介して送信してくる、前記オブジェクトが取得可能なコンテンツの種類を表す識別情報を取得する識別情報取得手段と、
前記他の情報処理装置が、前記オブジェクトから読み出して前記ネットワークを介して送信してくる暗号化された初期データを復号し、復号された前記初期データを前記他の情報処理装置に送信する初期データ送信手段と
を備えることを特徴とする情報処理装置。
【請求項９】  ネットワークを介して他の情報処理装置にコンテンツを提供するコンピュータに、
前記他の情報処理装置が、オブジェクトから読み出して前記ネットワークを介して送信してくる、前記オブジェクトが取得可能なコンテンツの種類を表す識別情報の取得を制御する識別情報取得制御ステップと、
前記他の情報処理装置が、前記オブジェクトから読み出して前記ネットワークを介して送信してくる暗号化された初期データを復号し、復号された前記初期データを前記他の情報処理装置に送信するように制御する初期データ送信制御ステップと
を実行させることを特徴とするプログラム。
【請求項１０】  ネットワークを介して第１の他の情報処理装置からコンテンツの提供を受ける情報処理装置において、
オブジェクトに記憶されている、前記オブジェクトを識別するオブジェクト識別情報を取得する取得手段と、
前記取得手段により取得された前記オブジェクト識別情報を、第２の他の情報処理装置に前記ネットワークを介して送信する送信手段と、
前記送信手段が送信した前記オブジェクト識別情報に基づいて、前記第２の他の情報処理装置が前記第１の他の情報処理装置に送信した前記コンテンツを識別するコンテンツ識別情報に基づいて、前記第１の他の情報処理装置から前記ネットワークを介して送信されてくる前記コンテンツを受信する受信手段と
を備えることを特徴とする情報処理装置。
【請求項１１】  ネットワークを介して第１の他の情報処理装置からコンテンツの提供を受ける情報処理装置を制御するコンピュータに、
オブジェクトに記憶されている、前記オブジェクトを識別するオブジェクト識別情報を取得する取得ステップと、
前記取得ステップの処理により取得された前記オブジェクト識別情報を、第２の他の情報処理装置に前記ネットワークを介して送信する送信ステップと、
前記送信ステップの処理で送信された前記オブジェクト識別情報に基づいて、前記第２の他の情報処理装置が前記第１の他の情報処理装置に送信した前記コンテンツを識別するコンテンツ識別情報に基づいて、前記第１の他の情報処理装置から前記ネットワークを介して送信されてくる前記コンテンツを受信する受信ステップと
を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、情報処理システム、情報処理装置、およびプログラムに関し、特に、操作に不慣れなユーザも、簡単かつ迅速に、認証することができるようにした情報処理システム、情報処理装置、およびプログラムに関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５６
【補正方法】削除
【補正の内容】
【手続補正４４】
【補正対象書類名】明細書
【補正対象項目名】００５７
【補正方法】削除
【補正の内容】
【手続補正４５】
【補正対象書類名】明細書
【補正対象項目名】００５８
【補正方法】削除
【補正の内容】
【手続補正４６】
【補正対象書類名】明細書
【補正対象項目名】００５９
【補正方法】削除
【補正の内容】
【手続補正４７】
【補正対象書類名】明細書
【補正対象項目名】００６０
【補正方法】削除
【補正の内容】
【手続補正４８】
【補正対象書類名】明細書
【補正対象項目名】００６１
【補正方法】削除
【補正の内容】
【手続補正４９】
【補正対象書類名】明細書
【補正対象項目名】００６２
【補正方法】削除
【補正の内容】
【手続補正５０】
【補正対象書類名】明細書
【補正対象項目名】００６３
【補正方法】変更
【補正の内容】
【００６３】
本発明の情報処理システムにおいては、読み取り装置により読み取られたユーザ識別情報と、第２の情報処理装置によるユーザ識別情報の認証結果に基づいて、オブジェクトに対応する画像が第１の情報処理装置の表示部に表示される。
【手続補正５１】
【補正対象書類名】明細書
【補正対象項目名】００６４
【補正方法】変更
【補正の内容】
【００６４】
本発明の第１の情報処理装置および第１のプログラムにおいては、他の情報処理装置より送信されてくるユーザ識別情報に基づいて、認証が行われ、認証の結果に基づいて、他の情報処理装置がユーザ識別情報に対応する画像を表示するのに必要な表示情報が、ネットワークを介して送信される。
【手続補正５２】
【補正対象書類名】明細書
【補正対象項目名】００６５
【補正方法】変更
【補正の内容】
【００６５】
本発明の第２の情報処理装置および第２のプログラムにおいては、取得されたユーザ識別情報が他の情報処理装置に送信され、送信されたユーザ識別情報に基づいて、他の情報処理装置により認証された結果に基づいて、ユーザ識別情報に対応する画像が表示される。
【手続補正５３】
【補正対象書類名】明細書
【補正対象項目名】００６６
【補正方法】削除
【補正の内容】
【手続補正５４】
【補正対象書類名】明細書
【補正対象項目名】００６７
【補正方法】削除
【補正の内容】
【手続補正５５】
【補正対象書類名】明細書
【補正対象項目名】００６８
【補正方法】変更
【補正の内容】
【００６８】
本発明の第３の情報処理装置および第３のプログラムにおいては、第２の他の情報処理装置が送信してくるオブジェクト識別情報が受信されると、オブジェクト識別情報に基づくコンテンツ識別情報が、第１の情報処理装置に送信され、第２の他の情報処理装置のユーザに対する課金処理が行われる。
【手続補正５６】
【補正対象書類名】明細書
【補正対象項目名】００６９
【補正方法】変更
【補正の内容】
【００６９】
本発明の第４の情報処理装置および第４のプログラムにおいては、他の情報処理装置が、オブジェクトから読み出してネットワークを介して送信してくる、オブジェクトが取得可能なコンテンツの種類を表す識別情報が取得され、他の情報処理装置が、オブジェクトから読み出してネットワークを介して送信してくる暗号化された初期データが復号され、復号された初期データが他の情報処理装置に送信される。
【手続補正５７】
【補正対象書類名】明細書
【補正対象項目名】００７０
【補正方法】変更
【補正の内容】
【００７０】
本発明の第５の情報処理装置および第５のプログラムにおいては、オブジェクトに記憶されているオブジェクト識別情報が取得され、オブジェクト識別情報がネットワークを介して、第２の他の情報処理装置に送信される。第２の他の情報処理装置は、オブジェクト識別情報に対応するコンテンツ識別情報を第１の他の情報処理装置に送信し、コンテンツ識別情報に基づいて、第１の他の情報処理装置からネットワークを介して送信されてきたコンテンツが受信される。
【手続補正５８】
【補正対象書類名】明細書
【補正対象項目名】００７１
【補正方法】削除
【補正の内容】
【手続補正５９】
【補正対象書類名】明細書
【補正対象項目名】００７２
【補正方法】削除
【補正の内容】
【手続補正６０】
【補正対象書類名】明細書
【補正対象項目名】０４９１
【補正方法】変更
【補正の内容】
【０４９１】
【発明の効果】
以上の如く、本発明の情報処理システムによれば、ユーザを認識することが可能なシステムを実現することができる。また、ユーザによる誤ったオブジェクトの使用を抑制することが可能なシステムを実現することができる。
【手続補正６１】
【補正対象書類名】明細書
【補正対象項目名】０４９２
【補正方法】変更
【補正の内容】
【０４９２】
本発明の第１の情報処理装置および第１のプログラムによれば、他の情報処理装置に確実にユーザを識別させることが可能となる。また、他の情報処理装置を使用するユーザに、正しい認証結果が得られたかどうかを、確実に認識させることが可能となる。
【手続補正６２】
【補正対象書類名】明細書
【補正対象項目名】０４９３
【補正方法】変更
【補正の内容】
【０４９３】
本発明の第２の情報処理装置および第２のプログラムによれば、ユーザを確実に認証することが可能となる。またユーザに正しい認証結果が得られているか否かを、確実に判断させることができる。
【手続補正６３】
【補正対象書類名】明細書
【補正対象項目名】０４９４
【補正方法】削除
【補正の内容】
【手続補正６４】
【補正対象書類名】明細書
【補正対象項目名】０４９５
【補正方法】削除
【補正の内容】
【手続補正６５】
【補正対象書類名】明細書
【補正対象項目名】０４９６
【補正方法】変更
【補正の内容】
【０４９６】
本発明の第３の情報処理装置および第３のプログラムによれば、コンテンツを確実にユーザに提供することが可能となる。また、そのユーザから確実に、コンテンツに対する対価を回収することが可能となる。
【手続補正６６】
【補正対象書類名】明細書
【補正対象項目名】０４９７
【補正方法】変更
【補正の内容】
【０４９７】
本発明の第４の情報処理装置および第４のプログラムによれば、ユーザが使用中の機器に所望のコンテンツを提供することができる。
【手続補正６７】
【補正対象書類名】明細書
【補正対象項目名】０４９８
【補正方法】変更
【補正の内容】
【０４９８】
本発明の第５の情報処理装置および第５のプログラムによれば、簡単かつ迅速に、コンテンツを利用することが可能となる。また、そのための構成を複雑にする必要がない。
【手続補正６８】
【補正対象書類名】明細書
【補正対象項目名】０４９９
【補正方法】削除
【補正の内容】
【手続補正６９】
【補正対象書類名】明細書
【補正対象項目名】０５００
【補正方法】削除
【補正の内容】